(57)【要約】  【課題】  ウェブ材料を分与するための改良された容器を提供することである。  【解決手段】  ウェブ材料２８が、ディスペンサ１２の内部に位置決めした中空ロール３０に保持される。中空ロール３０は、端部キャップ１４、１６上に形成したロール支持体４０上で容易に廻転するように支持される。ウェブ材料２８の一部分が細長開口２０を通して引き出され、カッターアセンブリ１８のカッタートラック２４上に配置される。剪断用デバイス２６がカッタートラック２４に沿って横断方向に案内されるとウェブ材料２８がその縁部方向に切断される。【選択図】  図１Ａ
2005206243.tif 000002
【特許請求の範囲】
【請求項１】
内径を有する実質的に中空ロール状に保持されたウェブ材料の選択部分を分与するための容器であって、
側壁の一部分に細長開口を有し、ある輪郭形状を含む実質的に中空のディスペンサと、
剪断用デバイスと、軌道の輪郭形状を有するカッタートラックとを含む、トラック案内式のカッターアセンブリと、
ディスペンサの輪郭形状に実質的に相当する成型溝と、ウェブ材料のロールの内径に実質的に相当する成型突起と、カッタートラックの軌道輪郭形状に実質的に相当するカッタートラックホルダと、を含む少なくとも１つの成型した端部キャップと、
を備え、
前記少なくとも１つの端部キャップが、ディスペンサと、ウェブ材料のロールと、トラック案内式のカッターアセンブリとから着脱自在であるようになっている容器。
【請求項２】
ディスペンサのある輪郭形状が実質的に円形である請求項１の容器。
【請求項３】
ディスペンサが実質的に透明プラスチックを含む請求項１の容器。
【請求項４】
ディスペンサがプラスチックの厚い壁を含む請求項３の容器。
【請求項５】
ディスペンサが伸長性を有する請求項１の容器。
【請求項６】
ディスペンサが、細長開口に隣り合って位置決めした取り外し自在のタブを含んでいる請求項１の容器。
【請求項７】
少なくとも１つの成型した端部キャップが実質的に四角形の輪郭を有している請求項１の容器。
【請求項８】
少なくとも１つの成型した端部キャップが弾発式のぺーパーホルダを含んでいる請求項１の容器。
【請求項９】
少なくとも１つの成型した端部キャップがディスペンサの切り欠きと係合自在のリブを含んでいる請求項１の容器。
【請求項１０】
カッタートラックがディスペンサに接着固定される請求項１の容器。
【請求項１１】
剪断用デバイスが、カッタートラックに沿って細長開口の長さに渡り移動自在である請求項１の容器。
【請求項１２】
剪断用デバイスが少なくとも２つの鋭い縁部を含んでいる請求項１１の容器。
【請求項１３】
カッタートラックが、端部キャップのカッタートラックホルダと係合し、該係合が、カッタートラックのディスペンサに関する位置を固定するようになっている請求項１１の容器。
【請求項１４】
カッタートラックが、耐衝撃性ポリスチレン上に同時押し出し成型したスチレンベースのエラストマーを含んでいる請求項１の容器。
【請求項１５】
カッタートラックが、返し付きの端部を少なくとも１つ含み、端部キャップの一方が少なくとも１つの切り欠きを含み、端部キャップの他方が少なくとも１つの切り欠きを含み、カッタートラックが、該カッタートラックが前記一方及び他方の端部キャップの一方の、前記少なくとも１つの各切り欠き内に入れ子収納されるように位置決めされ、前記少なくとも１つの返し付きの端部がディスペンサの反対側の、前記一方及び他方の端部キャップの他方の端部キャップの側部に位置決めされる請求項１１の容器。
【請求項１６】
ディスペンサの輪郭部分と端部キャップの成型溝との係合が摩擦締まり嵌めを含んでいる請求項１の容器。
【請求項１７】
端部キャップがリブを含み、ディスペンサが、細長開口に近接して位置決めした少なくとも１つの切り欠きを含み、端部キャップのリブが該少なくとも１つの切り欠きと係合して端部キャップに関するディスペンサの位置を固定するようになって得る請求項１の容器。
【請求項１８】
２つ以上の端部キャップが相互に結合される請求項１の容器。
【請求項１９】
端部キャップがほぞ継ぎ式のコネクタを含み、該ほぞ継ぎ式のコネクタを介して２つ以上の端部キャップが結合される請求項１８の容器。
【請求項２０】
ウェブ材料が、ギフト用包装紙、装飾性のホイル、アルミホイル、あるいはプラスチックラップ、の１つ以上を含んでいる請求項１の容器。
【請求項２１】
容器が弾発式のペーパーホルダを更に含む請求項１の容器。
【請求項２２】
ロール状に維持したウェブ材料の選択部分を分与するための容器であって、
側壁の一部分に細長開口を有し、実質的に中空のディスペンサと、
前記細長開口に隣り合って位置決めしたカッターアセンブリと、
ディスペンサ上に位置決めした第１端部キャップ及び第２端部キャップにして、ディスペンサの各端部を包囲し、ウェブ材料のロールとカッターアセンブリとを支持し得る第１端部キャップ及び第２端部キャップと、
を備え、
細長開口が、カッターアセンブリによるロールからウェブ材料の選択部分を取り出すために、ロール状のウェブ材料の端部を受けることが可能であるようにした容器。
【請求項２３】
ロール状に保持したウェブ材料の選択部分を切断するための容器であって、
ウェブ材料のロールを内部に有するディスペンサと、
ディスペンサ上に位置決めされ、カッタートラックと剪断用デバイスとを含むカッターアセンブリと、
ディスペンサ上に位置決めされ、該ディスペンサの各端部を包囲する端部キャップにして、カッタートラックの輪郭形状に実質的に相当する戻止めと、ディスペンサの輪郭形状に実質的に相当する溝と、ロール状のウェブ材料を受けるための突起とを含む成型材料を含む端部キャップと、
を含み、
ウェブ材料の選択部分が、ディスペンサから取り出され、カッターアセンブリを使用して切断されるようにした容器。
【請求項２４】
端部キャップがワンピースの成型部品の一部を含んでいる請求項２３の容器。
【発明の詳細な説明】
【技術分野】
【０００１】
本発明はウェブ材料、例えば、プラスチックフィルム、ワックスペーパー、ギフト用包装紙、等のためのディスペンサに関し、詳しくは、容器の横方向の各端部を形成する、脱着自在の、成型した端部キャップを有する非矩形の容器に関する。
【背景技術】
【０００２】
ウェブ材料を分与するための様々な容器が知られている。それらの容器の多くは、容器から分与されたウェブ材料を切断する手段として、露出された鋸歯状縁部を用いている。この鋸歯状縁部には幾つかの欠点がある。例えば、露出された鋭い鋸歯状の縁部は、容器のユーザーあるいはこの縁部に触れた他の材料を誤って切断する恐れがある。また、ユーザーはウェブ材料を一方の手で掴み、鋸歯状の縁部と係合させ、他方の手で容器を保持しなくてはならない。こうした使いづらい配列により、ウェブ材料がうまく切れなかったり、ウェブ材料が重なったりするといったことが起こり得る。
幾つかの既知の容器には、鋸歯状の縁部の使用に関連する問題を解決するためにガイドトラック付きのカッターアセンブリが含まれる。こうした容器には独自の問題がある。例えば、こうした容器の多くではユーザーが接着剤を使用してカッターアセンブリを容器に配置する必要があり、切断要素を配置する位置がずれると材料が切れにくくなってしまう。販売に先立って製造業者が容器にカッターアセンブリを取付けることもできるが、取り付けたカッターアセンブリが輸送あるいは保管中に容器から脱落する可能性もある。更には、既知の切断センブリでは、切断デバイスがカッターアセンブリから外れないようにするための、例えば、クリップ、ストッパその他を設けたガイドトラックの様な手段を設ける必要があるが、こうした手段は容器の製造を一層複雑化しコストを増大させる。
幾つかの既知の容器の別の問題は、容器内のウェブ材料のロールを固定しつつ、このロールの回転を許容させるための手段が無いことである。ロールを固定する手段が無いと、ユーザーはウェブ材料の一部を切断しようとする場合に、注意していないと容器からロールを引き出してしまう恐れがある。
【発明の開示】
【発明が解決しようとする課題】
【０００３】
ウェブ材料を分与するための改良された容器を提供することである。
【課題を解決するための手段】
【０００４】
本発明は一般に、ロール状に保持したウェブ材料の選択部分を分与するための容器を含んでいる。容器には、実質的に中空チューブ状のディスペンサと、軌道案内式のカッターアセンブリと、成型した端部キャップとが含まれる。ディスペンサはその側壁の一部分に細長開口を有し、端部キャップには、ディスペンサの輪郭形状に実質的に相当する成型溝が含まれ、好ましくはロールの内径に実質的に相当する成型突起が含まれる。カッターアセンブリは細長開口に隣り合って固定され、端部キャップにより然るべく固定されることが好ましい。
本発明の追加的な特徴には、ディスペンサ、カッターアセンブリ、端部キャップの変形形態が含まれる。
【発明を実施するための最良の形態】
【０００５】
同じ参照番号は同じ要素を示す図面を参照するに、ロール状の、例えば、ホイル、プラスチックラップ、ワックスペーパー、ギフト用包装紙などのウェブ材料を貯蔵及び分与するための容器の様々な実施例が示される。図１Ａに例示する容器は全体を番号１０で示され、ディスペンサ１２と、端部キャップ１４、１６と、カッターアセンブリ１８と、ウェブ材料２８の中空ロール３０とを含んでいる。ディスペンサ１２は、細長開口２０と、孔開けストリップ２２と、打ち抜きタブ２１とを含み、端部キャップ１４、１６はディスペンサホルダ３８と、ロール支持体４０と、カッタートラックホルダ４８とを含み、カッターアセンブリ１８は、カッタートラック２４と、剪断用デバイス２６とを含む。
【０００６】
操作に際し、ウェブ材料２８が、ディスペンサ１２の内部に位置決めした中空ロール３０状に保持される。中空ロール３０は、端部キャップ１４、１６上に形成したロール支持体４０上で容易に回転するように支持される。ウェブ材料２８の一部分が細長開口２０を通して引き出され、カッターアセンブリ１８のカッタートラック２４上に配置される。剪断用デバイス２６がカッタートラック２４に沿って横断方向に案内されるとウェブ材料２８がその縁部方向に切断される。
【０００７】
ディスペンサ１２は、例えば重ね合わせた紙素材、厚紙あるいはプラスチックといった、実質的に剛性の材料から作製され得る。ディスペンサ１２は、１２ｐｔあるいはもっと薄い２枚の材料から作製する。材料をもっと厚くすれば製造費用は増大するが容器の再使用が可能となり、一方、材料をもっと薄くすると製造費用は安価となるが、好適に使用できるのは一回使用（つまり使い捨て）容器としてのみとなろう。
【０００８】
ディスペンサ１２を透明化し、ユーザーがディスペンサ１２の内部のウェブ材料２８を見えるようにすることが可能である。透明なディスペンサ１２は、ユーザーが、ウェブ材料２８の柄や色その他の視覚的な品質を見たい場合には有益である。透明なディスペンサ１２の場合、ユーザーは、例えば花柄、あるいは“Ｈａｐｐｙ  Ｂｉｒｔｈｄａｙ”メッセージの大きなサンプルを、ディスペンサ１２からウェブ材料２８を取り出す前に見ることができる。更には、透明なディスペンサ１２では、ユーザーはディスペンサ１２から取り出したウェブ材料２８の分量を見ることができるので、残りのウェブ材料２８で可能な被覆量を測ったりロールの交換時期を知ることができる。
【０００９】
ディスペンサ１２の外側に装飾を施せば本発明の市場性を高めること及びあるいはディスペンサ１２に納めたウェブ材料の形式の識別をずっと容易化することが可能である。例えば、クリスマスギフトの包装紙の場合、ディスペンサ１２はクリスマスツリーや雪だるまの装飾模様を含み得、あるいはディスペンサ１２は緑や赤に着色され得る。また例えば、ホイル、プラスチックラップ、あるいはその他のキッチン用のウェブ材料では、ディスペンサ１２はキッチンの内装を補完するような装飾模様を含み得る。
【００１０】
ディスペンサ１２は、中空ロール状のウェブ材料３０を受け入れ可能であれば任意の形状のものを含み得る。かくして、ディスペンサは最小限、ウェブ材料のロールを格納可能な領域を含むべきである。ディスペンサは図１Ａに示すような管形状（即ち、円筒状の胴部を有する）であることが好ましい。ディスペンサは、例えば、図９Ａ及び図９Ｂに示す実施例のように胴部が正しい円形輪郭あるいは円形断面を持たない、半円筒形状のものであり得る。ディスペンサは、矩形、卵形、あるいはその他幾つかの幾何学的あるいは非幾何学的形状を有し得る。
【００１１】
カッターアセンブリ１８はカッタートラック２４と剪断用デバイス２６とを有する。カッタートラック２４は剪断用デバイス２６を案内するためのレール２５を有する。カッタートラック２４は、同時押し出し成型法によって製造することで、実質的に剛性の全体構成と、レール２５における粘性とを与えることが好ましい。例えば、カッタートラック２４を、耐衝撃性ポリスチレン（ＨＩＰＳ）上に同時押し出し成型したスチレンベースのエラストマー、硬質ポリ塩化ビニル上に同時押し出し成型した可塑化ポリ塩化ビニル（ＰＶＣ）、硬質ＨＩＰＳ上に同時押し出し成型したタクチファイド（ｔａｃｔｉｆｉｅｄ）ＨＩＰＳ若しくはその他の類似構造のものから作製することができる。その他のゴム、エラストマー、そしてプラスチックを使用することも考えられる。あるいは、カッタートラック２４を接着性を有する材料でコーティングすることもできる。ウェブ材料に接着性があるとウェブ材料はカッタートラック２４に一時的に固定されるので剪断用デバイス２６を用いた切断も容易化される。
【００１２】
剪断用デバイス２６はカッタートラック２４内に入れ子収納され、一旦カッタートラック２４と係合すると剪断用デバイス２６を摺動させてこのカッタートラック２４の一方の端部から外に出すことによってのみ取り外すことができる。剪断用デバイス２６は上方部分３４と剪断部分３６とを有し、上方部分３４はプラスチック若しくはその他の剛性材料から製造し得、また、ユーザーの指を受ける輪郭を形成することでカッタートラック２４に沿った移動を容易化させることができる。剪断部分３６はプラスチックあるいは金属製の切断ブレードの形態のものであり得る。また、剪断部分３６はカッタートラックに沿った何れの方向にも切断可能なブレード（即ち、両刃ブレード）を有し得る。
操作に際し、ウェブ材料の一部分をディスペンサ１２から取り出し、カッタートラック２４の上面を横断して配置する。次いで、ユーザーは剪断用デバイス２６の上方部分３４をカッタートラック２４に沿って移動させ、剪断部分３６によりウェブ材料３０の一部をロールから切り離す。
【００１３】
カッターアセンブリ１８は、図１Ａの実施例ではディスペンサ１２に接着取り付けした孔開けストリップ２２を除去し、かくして露呈状態で示す細長開口２０に隣り合って配置するのが好ましい。打ち抜きタブ２１は孔開けストリップ２２を除去する際の補助を提供する。打ち抜きタブ２１はまた、ユーザーがウェブ材料を掴むことのできる広い面積部分をも提供する。ディスペンサは、細長開口２１を設け、孔開けストリップ２２及び打ち抜きタブ２１は設けずに製造され得る。例えば、プラスチックが細長開口に相当する部分に充填されないようにすることにより、プラスチック製のディスペンサ用の型を使用して細長開口を設けることができる。
【００１４】
端部キャップ１４、１６に関するカッターアセンブリ１８の位置は、端部キャップ１４、１６の角部１４Ｃ、１６Ｃの一方に相当する円周方向位置（図１Ａ参照）、あるいは端部キャップ１４、１６の縁部の一方に沿った位置（図示せず）である。
カッターアセンブリ１８は、以下に説明するように、端部キャップ１４、１６のカッタートラックホルダ４８と係合させることにより容器１０の内部に固定することが好ましい。あるいはカッターアセンブリ１８を、ディスペンサ１２の外側に接着させることができる。
【００１５】
容器１０は更に、ディスペンサ１２の各端部を閉じる端部キャップ１４、１６を含む。図１Ａに示すように、これらの端部キャップは、実質的に四角い外側輪郭を有し得る。“実質的に四角い輪郭”には、直角に交わる等しい４辺を持つ輪郭が含まれる。“実質的に四角い輪郭”には、例えば、丸い角部及びあるいは、正確には不等長の側辺を持つ輪郭も含まれる。“実質的に四角い輪郭”を、円周方向に位置付けたカッターアセンブリと組み合わせることで、容器を一様な態様下に積み重ねる、即ち、カッターアセンブリがディスペンサの包装及びあるいは展示に支障を来さない状態下に積み重ねることが出来るようになる。
【００１６】
図１Ｂには図１Ａの容器１０が示され、ディスペンサ１２の胴部とカッターアセンブリ１８とを包囲する保護スリーブ１２Ａを有している。保護スリーブ１２Ａは、端部キャップ１４、１６の周囲に合致するあるいはそうでなければ固定するようなものとされる。宣伝その他の表示をこの保護スリーブ１２Ａの壁に含ませることができる。保護スリーブは着脱自在とし得、あるいはウェブ材料やカッターアセンブリへのアクセスを提供する開口を有し得る。
端部キャップ１４、１６はプラスチックのような材料から成型するのが好ましい。図２Ａに示すように、端部キャップ１４の成型形態には、ディスペンサ１２を受けるための手段と、中空のロール３０を受けるための手段と、カッターアセンブリ１８を受けるための手段とが含まれ得る。
【００１７】
図２Ｂには端部キャップ１４の裏側（即ち、ディスペンサとは反対側）が示される。別の実施例ではこの端部キャップは、その各側が図２Ａに示すようなものとして形成され得る。つまり端部キャップの各側に、ディスペンサを受けるための手段と、中空のロールを受けるための手段と、カッターアセンブリを受けるための手段とが含まれ得る。この２端部形式の別態様によれば、例えば、３つの端部キャップで２つのディスペンサを支持させることが可能となる。この場合、第１の端部キャップと第２の端部キャップとが第１のディスペンサを支え、第２の端部キャップが２端部式のものとされ、第２の端部キャップと第３の端部キャップとが第２のディスペンサを支える。２つのディスペンサは３つの端部キャップによってのみ支持される同一の軸線に沿って配置される。
【００１８】
ディスペンサを受けるための手段は好ましくはディスペンサホルダあるいは成型溝３８を含む。成型溝３８は、ディスペンサの輪郭形状に実質的に相当し、例えば、図１Ａに示す管状のディスペンサ１２（及びディスペンサの円形輪郭）に実質的に相当する、図２Ａに示すようなものである。ディスペンサ１２は成型溝３８に挿通され、摩擦による締まり嵌めにより然るべく保持される。
【００１９】
図３Ａ及び図３Ｂには、ウェブ材料をディスペンサの外側に固定するための、端部キャップが弾発式であるペーパーホルダ７８を含む固定手段の別態様が例示される。ペーパーホルダ７８は端部キャップ３１４に一体成形され、あるいはバネヒンジ、若しくは類似手段によりに取り付け得る。ペーパーホルダ７８はヒンジ強度を大きくする曲率を有することが好ましい。図３Ａにはペーパーホルダが開いた状態が示され、図３Ｂにはペーパーホルダ７８が閉じた状態が示される。操作に際し、ユーザーは、ウェブ材料を固定（例えば切断あるいは貯蔵のために）させるまでペーパーホルダ７８を開いたままに保持する。ユーザーがペーパーホルダ７８を開いた状態から閉じた状態とするとウェブ材料はディスペンサに押し当てられ捕捉される。ペーパーホルダ７８は、ウェブ材料が完全に動かないように、あるいは部分的にのみ動くように調整することができる。ペーパーホルダ７８は両方の端部キャップに使用する、あるは端部キャップの一方にのみ使用することが好ましい。
【００２０】
ディスペンサを受けるための別の手段では、図４に示すような相互錠止するバヨネットカップリングが使用される。円筒形状のディスペンサ２１２が、端部キャップ２１６の雄側バヨネット形態部２９２と係合する雌側バヨネット形態部２９０を含んでいる。相互錠止式のカップリングは、ユーザーがディスペンサからウェブ材料を引き出す際にカップリングが外れるのではなくむしろ一層固定されるように配向される。相互錠止するバヨネット形態部は、ディスペンサ２１２と端部キャップ２１４、２１６との係合の安定性を向上させる。
【００２１】
図１に示されるように、中空のロールを受けるための手段は、端部キャップが様々な内径の中空のロールを受けることが出来るよう、テーパ付けした成型突起の形態を有するロール支持体４０を含むことが好ましい。操作に際し、ロール支持体４０はロールの中空部分内に伸延される。ロールの内面の一部分がこのロール支持体４０上に載置され、かくしてロール支持体４０を中心とするロールの回転が許容され、他方、同時に、ロールが比較的固定した位置に固定される（即ち、有意の横方向移動が防止される）。
【００２２】
図１、図２Ａ、図２Ｂに示されるように、カッターアセンブリ１８を受けるための手段は、カッタートラック２４を受けるカッタートラックホルダ４８を含むことが好ましい。カッタートラックホルダ４８は、端部キャップの壁の開口あるいは長孔、若しくは、カッタートラック２４の輪郭形状に実質的に相当する形態とした戻止めを含み得る。例えば台形輪郭を有するカッタートラックのためには、カッタートラックホルダは台形、四角形、矩形あるいはその他の、台形形状を正しく受ける形状のものであり得る。カッターアセンブリとカッタートラックホルダとが係合すると、カッタートラック２４はディスペンサ１２に隣り合って固定される。この係合により、カッタートラック２４は接着剤その他を使用することなくディスペンサ１２に隣り合って固定され得る。しかしながらカッタートラック２４は、ディスペンサとカッターアセンブリとを組み合わせた構造とほぼ合致するように端部キャップ上に位置決めしたホルダを使用しても、チューブ状のディスペンサに固定され得る。
【００２３】
カッタートラックホルダ４８とカッタートラック２４とが係合するとカッタートラック２４内で剪断用デバイス２６も固定される。剪断用デバイス２６をカッタートラック２４内に配置し、カッタートラック２４を端部キャップ１４、１６のカッタートラックホルダ４８と係合させると、剪断用デバイス２６は一方の端部キャップを取り外すことによってのみ、取り外すことが可能となる。この設計形状により、カッタートラック２４をストッパ、クリンプその他の、カッタートラック２４内に剪断用デバイス２６を維持するための手段を設けることなく製造可能となり、かくして製造コスト並びに製造上の複雑さが低減される。
【００２４】
カッタートラック２４は、端部キャップ１４、１６をディスペンサ１２に取り付ける際にこれらの端部キャップと係合され得る。あるいは、カッタートラック２４を、ディスペンサ１２に端部キャップ１４、１６を係合させてからこれら端部キャップと係合させることができる。後者の場合、カッタートラック２４の一端を端部キャップ１４のカッタートラックホルダ４８内に挿通させ得る。次いで、カッタートラック２４を中央位置で弓状に曲げ、カッタートラック２４の他端が端部キャップ１６のカッタートラックホルダ４８内に挿通されるようにする。容器１０を組み立てると、端部キャップ１４、１６の、ディスペンサ１２に関する回転が固定され、結局、カッターアセンブリ１８に関する回転が固定される。
【００２５】
図５には別態様の容器が示され、ディスペンサ５１２が各側に切り欠き５０を含み、端部キャップ５１４（図５では一方のみが示される）が、外側に伸延するリブ５５２を有している。各切り欠きは細長開口５２０に隣り合って位置決めされる。各リブ５５２はカッタートラックホルダ５４８と端部キャップ角部５１４ｃとに近接して位置決めされる。各リブ５５２は、ディスペンサ５１２の方向を固定するようにして各切り欠きと係合される。この固定された方向においてカッターアセンブリがカッタートラックホルダ５４８と係合すると、細長開口５２０はカッターアセンブリ（図示せず）に近接して位置決めされる。
【００２６】
図５には、ディスペンサを伸張させ、本来、容器をギフト用包装紙のような、長さの異なる中空のロール状のウェブ材料と共に使用可能とした状況が例示される。例えば、ユーザーは非常に長い中空ロール状態のギフト用包装紙を購入することができる。伸張式のディスペンサ５１２を使用することにより、ユーザーはディスペンサユニットをロールの長さに合うまで引き延ばすことができる。本実施例では、ユーザーが次ぎに標準よりもずっと短いギフト用包装紙を購入しても、ユーザーは新しい容器を購入する必要がない。そうではなく、ユーザーは引き延ばしたディスペンサを単にこの短い中空ロールに合うまで引き込めれば良い。本実施例の好ましい構造ではディスペンサとカッタートラックとが共に伸張されるが、伸張式のディスペンサを非伸長式のカッタートラックと、あるいは非伸長式のディスペンサを伸張式のカッタートラックと共に使用することができる。
【００２７】
図６Ａにはカッターアセンブリを受けるための別の手段が示され、カッタートラック４２４が、端部キャップ４１４の長孔４６に係合する返し付き端部４４を含んでいる。カッタートラック４２４が、このカッタートラック４２４の返し付き端部４４が端部キャップ４１４の、ディスペンサ（図６Ａには示されない）とは反対側にぴったりと接触して位置決めされる状態で長孔４６に入れ子収納される。返し付き端部がぴったりと嵌合することでカッタートラック４２４が端部キャップ４１４内に実質的に錠止され、またカッタートラック４２４がディスペンサの外側面に隣り合って好ましく固定される。
【００２８】
端部キャップは何れの実施例においても着脱自在であることが好ましいが、一方あるいは両方の端部キャップをディスペンサと恒久的に係合させることもできる。端部キャップの恒久的な係合は接着剤を使用して達成し得、またそうした恒久的な係合は、ウェブ材料のロールを交換する必要のない一回使用容器のために最も有益である。
【００２９】
図６Ｂには端部キャップの更に他の設計形状が示され、端部キャップ６１４の内側に位置決めした表面に第１突起６４４が形成されている。例示されるように、この第１突起６４４に直径位置で対向する角部には第２突起６４４ａが形成される。第１及び第２の各突起の何れかは、図６Ｂには示されないカッタートラックにより形成される溝内に嵌入され、このカッタートラックを然るべく錠止する。カッタートラックがディスペンサに固定されると（図１Ａ参照）ディスペンサもまた端部キャップ６１４に関して錠止される。
【００３０】
図７には容器の別の実施例が示され、２つのディスペンサがツインパック６１０の形態を構成している。ツインパック６１０は２つのディスペンサ１２ａ、２ｂと、これらの２つのディスペンサ１２ａ、２ｂと係合する２つのカッターアセンブリ１８ａ、１８ｂと、２つの端部キャップ６１４、６１６とを含んでいる。２つの端部キャップ６１４、６１６は、図示されるように単一の成型部品で作製され、例えば図１Ａ、２Ａ、２Ｂに示される個別の端部キャップ１４、１６と同じ特徴を有している。かくして、ツインパック形の実施例では２つのディスペンサ１２ａ、１２ｂ、２つのウェブ材料２８ａ、２８ｂの各中空ロール３０ａ、３０ｂ、２つのカッターアセンブリ１８ａ、１８ｂと夫々係合する形態とされる。２つのディスペンサ１２ａ、１２ｂは、ディスペンサ１２ａの内部のウェブ材料２８ａが、ディスペンサ１２ｂから分与されるウェブ材料２８ｂとは反対方向に分与されるように配向される。ツインパック形式の容器の各ディスペンサは、異なる形式のウェブ材料を収納するために使用することができる。例えば、ディスペンサ１２ａがプラスチックラップのウェブ材料２８ａを収納し、ディスペンサ１２ｂがアルミホイルのウェブ材料２８ｂを収納し得る。他の実施例ではディスペンサ１２ａが誕生日ギフト用のラップのウェブ材料２８ａを収納し、ディスペンサ１２ｂが休日ギフト用ラップのウェブ材料２８ｂを収納し得る。
【００３１】
図７に例示する実施例は、ウェブ材料をディスペンサ１２ｂの外側に押し付けて捕捉し、ウェブ材料の切断及びあるいは貯蔵時にウェブ材料を不動化するホルダ７４を更に含む。ユーザーは細長開口を通してウェブ材料を引き出し、次いでホルダ７４の弾発部片７５を端部キャップ６１４、６１６の状縁部を覆って配置する。これにより捕捉用部片７６がウェブ材料２８ｂをディスペンサ１２ｂに押し付ける。この捕捉用部片７６がウェブ材料に行使する圧力は、ウェブ材料が完全にあるいは部分的にのみ不動化され得るように調整することができる。ここで、部分的にのみ不動化されるとは、ウェブ材料が切断及び貯蔵時に実質的に固定されるが、尚、ディスペンサとホルダ７４との間で引き出され得るようなものであることを意味するものとする。
【００３２】
図８にはツインパック形式の容器実施例の別態様が示され、２つの端部キャップがほぞ継ぎ式コネクタにより結合されている。例示されるように、端部キャップ７１６ａは端部キャップ７１６ｂと、雄部材（舌部）５４ａ及び雌部材（溝）５６ｂが相互錠止することにより係合される。端部キャップ７１６は、単一の雄部材５４のみを設け、あるいは単一の雌部材５６のみを設ける状態で製造することができる。例えば、端部キャップ７１６ａに雄部材５４ａを設け、その反対側の表面には雌部材５６ａを設けず、端部キャップ７１６ｂに雌部材５６ｂを設け、その反対側表面に雄部材５４ｂを設けないようにすることができる。あるいは、各端部キャップに２つの雄部材５４あるいは２つの雌部材５６を設けることも可能である。
【００３３】
端部キャップ７１６ａ及び７１６ｂのための別の係合手段は、係合面５８に固定した接着剤、あるいはフックアンドループ式ファスナである。追加の端部キャップは、それらの係合手段、若しくは、３パック、４パック形式の容器を創出するための手段の何れかにより係合され得る。
図９Ａ、９Ｂ、９Ｃには、半円形あるいはＧ字形状の管状のディスペンサ６０を含む容器実施例が示される。端部キャップ８１４はディスペンサ６０の輪郭を収受する溝を含む。端部キャップ８１４にはカッターアセンブリ１８を受けるための長孔あるいは戻止めも設けられる。ディスペンサ６０の輪郭に形成される開口６２が、管８０の内部に位置決めされたウェブ材料２８へのアクセスを提供する。開口６２は、ユーザーがディスペンサ６０の内部からウェブ材料２８を引き出せるような形態のものとされる。この実施例ではカッターアセンブリ１８は開口６２に近接して位置決めされ、開口６２を通してのウェブ材料２８の引き出しと、カッターアセンブリ１８による切断とを容易化している。
【００３４】
図９Ｂではカッターアセンブリ１８はディスペンサ６０の開口６２に近接する位置で外側表面に固定されている。開口６２は、カッターアセンブリ１８の、概略トラック部分の高さに形成される。これにより、ウェブ材料２８を開口の外側に引き出し、切断のためにカッターアセンブリ上に位置決めする際の移動が容易化され得る。
【００３５】
図９Ｃではカッターアセンブリ１８はディスペンサ６０の内側縁部位置に、開口６２に近接して固定されている。ディスペンサ６０をその端部キャップ（例えば図９Ａの端部キャップ８１４）位置で充分に撓ませると、ディスペンサの内側縁部がウェブ材料２８の表面上に載置される。この操作は、ウェブ材料に抵抗を生じさせてロールの回転を防止するために使用され得る。
【００３６】
図１０Ａ及び１０Ｂには別の実施例が例示され、ディスペンサ１２がワンピース形式の成型部品６４により然るべく保持されている。成型部品６４はヒンジ部分６６ａ、６６ｂと、開口６８ａ、６８ｂと、端部キャップ７０ａ、７０ｂとを含んでいる。ヒンジ部分６６ａ、６６ｂは一体形成され得、あるいは好都合な任意の態様下に取り付けることができる。端部キャップ７０ａ、７０ｂは、ディスペンサ１２を係合させるための手段と、図示されないウェブ材料の中空ロールを係合させるための手段と、カッタートラック２４を受けるための手段及び、剪断用デバイス２６が誤って外れないように制限するための手段とを更に含む。ディスペンサ１２を係合させるための手段は、ディスペンサ１２が摩擦により締まり嵌め係合する成型溝を含むことが好ましい。ウェブ材料の中空ロールを係合させるための手段は、中空ロールの内径部分と係合する突起７２ａ、７２ｂを含むことが好ましい。カッタートラック２４を受けるための手段は、カッタートラックホルダ４８を含むことが好ましい。
【００３７】
容器は、端部キャップ７０ａ、７０ｂをヒンジ部分６６ａ、６６ｂを中心として夫々Ｒａ、Ｒｂ方向に回転させることにより組み立てる。端部キャップを回転させるとディスペンサが成型溝と係合し、ウェブ材料の中空ロールが突起７２ａ、７２ｂと係合する。開口６８ａ、６８ｂを、ネジ、ボルト、サクションカップ、等と組み合わせて使用し、成型部品６４をテーブル上、カウンタトップ上、棚、壁、キャビネットその他の下方面に固定することができる。
【００３８】
容器は、フックアンドループ式のファスナ材料をも有し得る。各端部キャップ固定したフックアンドループ式のファスナ材料が、固定表面に固定した相当するフックアンドループ式のファスナ材料と係合する。フックアンドループ式のファスナ材料が容器と係合すると容器は然るべく保持される。容器をある表面に取り付けるために接着剤、接着ストリップ、サクションカップその他を使用することもできる。
【００３９】
容器を、端部キャップを支持し且つディスペンサを各端部キャップ間で吊下する取付けブラケットを使用しても良い。容器はこの取付けブラケットの直立フランジに位置決めすることができる。直立フランジの突起が端部キャップの開口と係合し、容器を取付けブラケットの長手方向に沿って支持する。取付けブラケットには、サクションカップを位置決めするための、あるいは取付けブラケットを取り付けるための取り付け用ネジその他を受ける開口を設けることができる。取付けブラケットは代表的なキッチンカウンターの上方に取り付けたキャビネットの下側に取付け可能である。取付けブラケットは補給用のウェブ材料に交換するために、各直立フランジ間で容器を動かせるようにした状態下に、キャビネットの裏側に恒久的に位置決めすることもできる。トラックは、ウェブ材料への容易なアクセスを提供し且つカッターアセンブリを使用しての中空ロールからのウェブ材料部分の取り出しを提供するために、容器の外側に突出されることが好ましい。
【００４０】
図１１には、容器の他の実施例が番号１１０で示され分与支持体を有している。端部キャップ１１４、１１６は丸い輪郭を有し、チューブ状のディスペンサ１２の各端部に取り付けられている。前記各端部への取付けは先に説明した他の実施例におけると同じ様式で実施される。一方の端部キャップ１１６を受け且つ係合するための中央開口を有する支持ベース１６４が設けられる。容器１１０の一端を支持ベース１６４の一端に固定してディスペンサ１２を垂直方向に位置決めする。かくして、ウェブ材料２８はディスペンサ１２から引き出され、カッターアセンブリ１８により切断される。支持ベース１６４は、図１０Ａ及び１０Ｂに示す実施例に関して先に議論したようなカウンタートップあるいは、その他の所望の任意の手段上に位置決めされ錠止されることが好ましい。開口１６８は先に説明した開口６８ａ、６８ｂにおけると同様の目的のために利用することができる。端部キャップ１１６はディスペンサ１２に固定状態で取付けられ、弾発係合のような任意の既知の様式で支持ベースに釈放自在に固定されることが好ましい。
【００４１】
以上、本発明を実施例を参照して説明したが、本発明の内で種々の変更をなし得ることを理解されたい。例えば、容器は透明な、伸縮するディスペンサと、返し付き端部を備えた伸縮するカッタートラックとを含み得る。
【図面の簡単な説明】
【００４２】
【図１Ａ】本発明に従うディスペンサの１実施例の分解斜視図である。
【図１Ｂ】図１Ａのディスペンサを覆って嵌合する保護スリーブを設けた状態の斜視図である。
【図２Ａ】本発明の端部キャップの実施例の正面図である。
【図２Ｂ】本発明の端部キャップの実施例の背面図である。
【図３Ａ】端部キャップのスナップオーバーペーパーホルダを開いた状態で示す斜視図である。
【図３Ｂ】端部キャップのスナップオーバーペーパーホルダを閉じた状態で示す斜視図である。
【図４】端部キャップとディスペンサとの間のバヨネット嵌着部分を示す斜視図である。
【図５】伸縮することにより、端部キャップを備えたディスペンサを配向するための手段を提供するディスペンサの実施例の斜視図である。
【図６Ａ】切断デバイスのガイドトラックと端部キャップとの間の係合手段の斜視図である。
【図６Ｂ】端部キャップとガイドトラックとの間の別の係合手段の斜視図である。
【図７】ツインパックとしたディスペンサの実施例の分解斜視図である。
【図８】相互係止状態の端部キャップの平面図である。
【図９Ａ】半円筒状のディスペンサの実施例の斜視図である。
【図９Ｂ】図９Ａのディスペンサに取り付けたガイドトラックの別態様における実施例の端面図である。
【図９Ｃ】図９Ａのディスペンサに取り付けたガイドトラックの別態様における実施例の端面図である。
【図１０Ａ】ポップアップ式ディスペンサの平坦状態での斜視図である。
【図１０Ｂ】ポップアップ式ディスペンサのポップアップ状態での斜視図である。
【図１１】ディスペンサ及び関連する支持体の更に他の実施例の斜視図である。
【符号の説明】
【００４３】
１０  容器
１２、２１２  ディスペンサ
１２Ａ  保護スリーブ
１４、１６  端部キャップ
１４Ｃ、１６Ｃ  角部
１８  カッターアセンブリ
２０  細長開口
２１  打ち抜きタブ
２２  孔付きのストリップ
２４  カッタートラック
２５  レール
２６  剪断用デバイス
２８  ウェブ材料
３０  中空ロール
３４  上方部分
３６  剪断部分
３８  ディスペンサホルダ
４０  ロール支持体
４８  カッタートラックホルダ
４０  ロール支持体
５０  切り欠き
４６  長孔
４４  返し付き端部
５４ａ  雄部材
５６ｂ  雌部材
５８  係合面
６０  ディスペンサ
６２  開口
６４  成型部品
６６ａ、６６ｂ  ヒンジ部分
６８ａ、６８ｂ  開口
７０ａ、７０ｂ  端部キャップ
７４  ホルダ
７５  弾発部片
７６  捕捉用部片
７８  ペーパーホルダ
８０  管
２１６、３１４  端部キャップ
２９０  雌側バヨネット形態部
２９２  雄側バヨネット形態部
４１４  端部キャップ
４２４  カッタートラック
５１４  端部キャップ
５１４ｃ  端部キャップ角部
５２０  細長開口
５４８  カッタートラックホルダ
５５２  リブ
６１０  ツインパック
６４４  第１突起
６４４ａ  第２突起
【図１Ａ】
2005206243.tif 000003
【図１Ｂ】
2005206243.tif 000004
【図２Ａ】
2005206243.tif 000005
【図２Ｂ】
2005206243.tif 000006
【図３Ａ】
2005206243.tif 000007
【図３Ｂ】
2005206243.tif 000008
【図４】
2005206243.tif 000009
【図５】
2005206243.tif 000010
【図６Ａ】
2005206243.tif 000011
【図６Ｂ】
2005206243.tif 000012
【図７】
2005206243.tif 000013
【図８】
2005206243.tif 000014
【図９Ａ】
2005206243.tif 000015
【図９Ｂ】
2005206243.tif 000016
【図９Ｃ】
2005206243.tif 000017
【図１０Ａ】
2005206243.tif 000018
【図１０Ｂ】
2005206243.tif 000019
【図１１】
2005206243.tif 000020
【外国語明細書】
2005206243000001.pdf